(57)【要約】【課題】ケース体に入れた既製ＣＤに筆記具類を突き刺した印象を与え、意外性、興趣性が得られるようにする。【解決手段】既製ＣＤ６の４分の１扇形状を呈し、且つ扇形中央に筆記具類Ｐを挿通する挿通孔４Ａを形成した扇形ダミーＣＤ板４を上下移動可能に内装する収容部１１を備えたケース体２と、既製ＣＤ６の４分の３扇形状を呈する切欠ダミーＣＤ板５を上下移動可能に取り付けた状態でケース体２に挿入する保持部材３とを備える。ケース体２内への既製ＣＤ６の隠蔽しながらの挿入に伴って、扇形ダミーＣＤ板４、切欠ダミーＣＤ板５それぞれをケース体２に設けた窓部７側に移動可能とし、且つ既製ＣＤ６の中央孔６Ａ、扇形ダミーＣＤ板４の挿通孔４Ａそれぞれを合致したものとし、その後に窓部７から両孔６Ａ，４Ａに筆記具類Ｐを挿通可能とする。【選択図】図１６
0003117877.tif 000002
【実用新案登録請求の範囲】
【請求項１】
既製ＣＤの４分の１扇形状を呈し、且つ扇形中央に筆記具類を挿通させる挿通孔を形成した扇形ダミーＣＤ板を上下移動可能に内装する収容部を備えたケース体と、既製ＣＤの４分の１扇形部分を切り除いた残りの４分の３の扇形状を呈する切欠ダミーＣＤ板を上下移動可能に取り付けた状態でケース体に挿入する保持部材とを備え、ケース体内への既製ＣＤの隠蔽させながらの挿入に伴って、扇形ダミーＣＤ板、切欠ダミーＣＤ板それぞれをケース体に設けた窓部側に移動可能とし、且つ既製ＣＤの中央孔、扇形ダミーＣＤ板の挿通孔それぞれを合致対向させて窓部から両孔に筆記具類を挿通可能としたことを特徴とする手品具。
【請求項２】
窓部は、切欠ダミーＣＤ板の中央孔側を観客に見せる円形透明部と、該円形透明部を中心にして周囲に形成され、切欠ダミーＣＤ板の４分の３扇形部分を観客に見せるよう３つに分断された左右側扇形透明部および下側扇形透明部と、扇形ダミーＣＤ板である４分の１扇形部分を観客に見せる上側扇形透明部とに区画形成され、上側扇形透明部の中心には、筆記具類を差し込める程度の開口径を有し、複数のヒダ部によって形成された可撓性の閉塞部材によって閉塞した円形の差込孔を設けてある請求項１記載の手品具。
【請求項３】
保持部材は、折り込み部分を介して前面部と後面部とが対向するように二つ折り可能にし、前面部中央の上端から、ケース体における上側扇形透明部背面の前記収容部によって隠される略中間位置までにわたって形成されたガイド用開口部と、切欠ダミーＣＤ板に取り付けられたスライド操作片とを備え、該スライド操作片をガイド用開口部に挿入した状態で切欠ダミーＣＤ板を上下移動可能とし、スライド操作片の一端側に形成した係止部により、前面部と後面部との間に挿入される既製ＣＤを係架させて切欠ダミーＣＤ板を押し込み操作するものとした請求項２記載の手品具。
【請求項４】
保持部材の前面部におけるガイド用開口部に合致される後面部の中央位置には、上側扇形透明部の差込孔、扇形ダミーＣＤ板の挿通孔、収容部の挿通孔それぞれに対応して、複数のヒダ部によって形成された閉塞部材によって閉塞した筆記具類先端部突出用の突出孔と、該突出孔よりも下側に位置する左右対称箇所には、当該突出孔位置に既製ＣＤの中央孔が対向配置されるよう係止保持させる左右一対の突起を備えた請求項３記載の手品具。
【考案の詳細な説明】
【技術分野】
【０００１】
本考案は、既製ＣＤ（ｃｏｍｐａｃｔ  ｄｉｓｃ）と突き刺し用の例えば鉛筆（ペンシル）、ボールペン等の筆記具類とを使った手品具に係り、既製ＣＤの盤面に対してその小さな信号孔に大径な筆記具類をあたかも突き通し状に貫通させるようにできる手品具に関するものである。
【背景技術】
【０００２】
従来、この種の手品具としては、例えば紙幣・硬貨やトランプ等の対象物を孔開きケース体に収容してからケース体の当該孔にナイフや棒等で突き刺し、これらの対象物にあたかも突き通したように見せ、しかも、該対象物が無傷のままでケース体から取り出されるようにした手品具がいくつか存在する。
【特許文献１】特に無し
【考案の開示】
【考案が解決しようとする課題】
【０００３】
しかしながら、従来においては、対象物が例えば紙幣・硬貨やトランプ等であり、既製のＣＤを使った手品具は存在しなかった。
【０００４】
そこで、本考案は叙上のような従来存した諸事情に鑑み案出されたもので、例えば観客から借りた既製ＣＤをケース体に入れて外側から見える状態にしてからケース体に筆記具類等を差し込んで、あたかも当該ＣＤに孔が空いて損傷されたかのようにしても、当該既製ＣＤは無傷のままでケース体から取り出されるようにし、観客に意外性、興趣性等の印象を与えることができる手品具を提供することを目的とする。
【課題を解決するための手段】
【０００５】
上述した課題を解決するため、本考案にあっては、既製ＣＤ６の４分の１扇形状を呈し、且つ扇形中央に筆記具類Ｐを挿通させる挿通孔４Ａを形成した扇形ダミーＣＤ板４を上下移動可能に内装する収容部１１を備えたケース体２と、既製ＣＤ６の４分の１扇形部分を切り除いた残りの４分の３の扇形状を呈する切欠ダミーＣＤ板５を上下移動可能に取り付けた状態でケース体２に挿入する保持部材３とを備え、ケース体２内への既製ＣＤ６の隠蔽させながらの挿入に伴って、扇形ダミーＣＤ板４、切欠ダミーＣＤ板５それぞれをケース体２に設けた窓部７側に移動可能とし、且つ既製ＣＤ６の中央孔６Ａ、扇形ダミーＣＤ板４の挿通孔４Ａそれぞれを合致対向させて窓部７から両孔６Ａ，４Ａに筆記具類Ｐを挿通可能としたものである。
また、窓部７は、切欠ダミーＣＤ板５の中央孔５Ａ側を観客に見せる円形透明部７Ａと、該円形透明部７Ａを中心にして周囲に形成され、切欠ダミーＣＤ板５の４分の３扇形部分を観客に見せるよう３つに分断された左右側扇形透明部７Ｂおよび下側扇形透明部７Ｃと、扇形ダミーＣＤ板４である４分の１扇形部分を観客に見せる上側扇形透明部７Ｄとに区画形成され、上側扇形透明部７Ｄの中心には、筆記具類Ｐを差し込める程度の開口径を有し、複数のヒダ部によって形成された可撓性の閉塞部材９によって閉塞した円形の差込孔８を設けてあるものとできる。
保持部材３は、折り込み部分３Ｃを介して前面部３Ａと後面部３Ｂとが対向するように二つ折り可能にし、前面部３Ａ中央の上端から、ケース体２における上側扇形透明部７Ｄ背面の前記収容部１１によって隠される略中間位置までにわたって形成されたガイド用開口部１６と、切欠ダミーＣＤ板５に取り付けられたスライド操作片１７とを備え、該スライド操作片１７をガイド用開口部１６に挿入した状態で切欠ダミーＣＤ板５を上下移動可能とし、スライド操作片１７の一端側に形成した係止部１７Ａにより、前面部３Ａと後面部３Ｂとの間に挿入される既製ＣＤ６を係架させて切欠ダミーＣＤ板５を押し込み操作するものとできる。
保持部材３の前面部３Ａにおけるガイド用開口部１６に合致される後面部３Ｂの中央位置には、上側扇形透明部７Ｄの差込孔８、扇形ダミーＣＤ板４の挿通孔４Ａ、収容部１１の挿通孔１１Ａそれぞれに対応して、複数のヒダ部によって形成された閉塞部材９によって閉塞した筆記具類Ｐ先端部突出用の円形の突出孔１９と、該突出孔１９よりも下側に位置する左右対称箇所には、当該突出孔１９位置に既製ＣＤ６の中央孔６Ａが対向配置されるよう係止保持させる左右一対の突起１８を備えたものとできる。
【０００６】
以上のように構成された本考案に係る手品具にあって、保持部材３は、折り込み部分３Ｃを介して前面部３Ａと後面部３Ｂとが対向するように二つ折りにされ、切欠ダミーＣＤ板５のスライド操作片１７を前面部３Ａのガイド用開口部１６に挿入してケース体２に入れられる。
ケース体２内への既製ＣＤ６の挿入に際し、既製ＣＤ６を保持部材３の前面部３Ａによって隠蔽しながら挿入させる。このケース体２内への既製ＣＤ６の挿入に伴うスライド操作片１７のガイド用開口部１６に沿っての押し込みにより、切欠ダミーＣＤ板５をケース体２に設けた窓部７側に移動させる。そして既製ＣＤ６の中央孔６Ａは、扇形ダミーＣＤ板４の挿通孔４Ａに合致対向させられて両孔６Ａ，４Ａに例えば鉛筆、ボールペン等の筆記具類Ｐを挿通可能な状態にさせる。
このとき、収容部１１内の扇形ダミーＣＤ板４は、ケース体２を斜め下に傾けて振りながら上側扇形透明部７Ｄ位置に落下させる。
切欠ダミーＣＤ板５がケース体２の下側まで移動した際には、当該切欠ダミーＣＤ板５の４分の３扇形部分を、ケース体２の左右側扇形透明部７Ｂおよび下側扇形透明部７Ｃそれぞれの位置に配置させ、且つ切欠ダミーＣＤ板５の中央孔を、ケース体２の円形透明部７Ａ位置に配置させる。
また、後面部３Ｂの突起１８は、既製ＣＤ６を係止させ、当該既製ＣＤ６の中央孔６Ａをケース体２の上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに合致した状態にさせる。
蓋体１０を開けてからケース体２の上側扇形透明部７Ｄにおける差込孔８から筆記具類Ｐを突き刺した際には、筆記具類Ｐの先端を、ケース体２の上側扇形透明部７Ｄの差込孔８、扇形ダミーＣＤ板４の挿通孔４Ａ、収容部１１の挿通孔１１Ａ、既製ＣＤ６の中央孔６Ａ、保持部材３の後面部３Ｂの突出孔１９それぞれを通ってケース体２の反対側から突き出させる。
【考案の効果】
【０００７】
本考案によれば、例えば観客から借りた既製ＣＤ６をケース体２に入れて外側から見える状態にした後、ケース体２に例えば鉛筆、ボールペン等の筆記具類Ｐ等を刺し込み、当該既製ＣＤ６の微細な信号孔に大径な筆記具類Ｐがあたかも挿通したように、あるいはあたかも孔が空いて損傷されたように観客に見せることができ、また、その後は、筆記具類Ｐを抜き出しても、既製ＣＤ６を無傷のままでケース体２から取り出すことができる。
【０００８】
すなわちこれは本考案が、ケース体２内への既製ＣＤ６を隠蔽させながらの挿入に伴って、扇形ダミーＣＤ板４、切欠ダミーＣＤ板５それぞれをケース体２に設けた窓部７側に移動可能とし、且つ既製ＣＤ６の中央孔６Ａ、扇形ダミーＣＤ板４の挿通孔４Ａそれぞれを合致対向させて窓部７から両孔６Ａ，４Ａに筆記具類Ｐを挿通可能としたからであり、これにより、既製ＣＤ６を傷付けることなくケース体２に筆記具類Ｐを突き刺すことができ、ＣＤ面に記録形成されている小さな信号孔を筆記具類Ｐがあたかも通り抜けたような不思議感を観客に与えることができる。
【０００９】
また、窓部７は、切欠ダミーＣＤ板５の中央孔５Ａ側を観客に見せる円形透明部７Ａと、該円形透明部７Ａを中心にして周囲に形成され、切欠ダミーＣＤ板５の４分の３扇形部分を観客に見せるよう３つに分断された左右側扇形透明部７Ｂおよび下側扇形透明部７Ｃと、扇形ダミーＣＤ板４である４分の１扇形部分を観客に見せる上側扇形透明部７Ｄとに区画形成され、上側扇形透明部７Ｄの中心には、筆記具類Ｐを差し込める程度の開口径を有し、複数のヒダ部によって形成された可撓性の閉塞部材９によって閉塞した円形の差込孔８を設けてあるので、ケース体２内への既製ＣＤ６の挿入によって、当該既製ＣＤ６が大小の扇形状のダミーＣＤ板４，５にすり替えられて窓部７を通して見える状態となり、これによってケース体２内に既製ＣＤ６が実際に挿入されているかのような観を呈するものとすることができる。
【００１０】
保持部材３は、折り込み部分３Ｃを介して前面部３Ａと後面部３Ｂとが対向するように二つ折り可能にし、前面部３Ａ中央の上端から、ケース体２における上側扇形透明部７Ｄ背面の前記収容部１１によって隠される略中間位置までにわたって形成されたガイド用開口部１６と、切欠ダミーＣＤ板５に取り付けられたスライド操作片１７とを備え、該スライド操作片１７をガイド用開口部１６に挿入した状態で切欠ダミーＣＤ板５を上下移動可能とし、スライド操作片１７の一端側に形成した係止部１７Ａにより、前面部３Ａと後面部３Ｂとの間に挿入される既製ＣＤ６を係架させて切欠ダミーＣＤ板５を押し込み操作するので、既製ＣＤ６と、大小の扇形状のダミーＣＤ板４，５とのすり替え動作が観客には解らないようにスムーズに行える。
【００１１】
保持部材３の前面部３Ａにおけるガイド用開口部１６に合致される後面部３Ｂの中央位置には、上側扇形透明部７Ｄの差込孔８、扇形ダミーＣＤ板４の挿通孔４Ａ、収容部１１の挿通孔１１Ａそれぞれに対応して、複数のヒダ部によって形成された閉塞部材９によって閉塞した筆記具類Ｐ先端部突出用の円形の突出孔１９と、該突出孔１９よりも下側に位置する左右対称箇所には、当該突出孔１９位置に既製ＣＤ６の中央孔６Ａが対向配置されるよう係止保持させる左右一対の突起１８を備えたので、既製ＣＤ６の中央孔６Ａを上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに確実に合致させることができ、ケース体２に差し込んだ筆記具類Ｐは、既製ＣＤ６の中央孔６Ａを通ることとなり、これにより既製ＣＤ６を損傷させることなく、ケース体２から無傷の状態のままで取り出すことができる。
【００１２】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１３】
以下図面を参照して本考案を実施するための最良の一形態を説明すると、図において示される符号１は、既製ＣＤ６を使った手品具本体であり、該手品具本体１は、ドーナツ状の既製ＣＤ６における４分の１の扇形状で切断形成した４分の１扇形状を呈し、且つ扇形中央に例えば鉛筆、ボールペン等の筆記具類Ｐを挿通させるための円形状の挿通孔４Ａを形成して成る扇形ダミーＣＤ板４を内装したケース体２と、前記のドーナツ状の既製ＣＤ６の４分の１扇形部分を切り除いた残りの４分の３扇形状を呈する切欠ダミーＣＤ板５を取り付けた状態でケース体２に挿入される保持部材３とから構成されている。
【００１４】
すなわちダミーとして予じめケース体２内に挿入される扇形ダミーＣＤ板４と切欠ダミーＣＤ板５とは１枚の所定の既製のＣＤを切断することで形成され、使用に際しては当該既製のＣＤと形状、デザイン等が同じものが後述する既製ＣＤ６として使用される。
【００１５】
尚、本実施の形態では、既製ＣＤ６を使用しているが、信号面に色が付いているものを除けば、ゲームソフト用のＣＤ、ＤＶＤ、ＣＤＷ、ＣＤＲＷ等でも良い。尚、本明細書において筆記具類Ｐとして鉛筆、ボールペン等として例示されるも、これらと同様な外形を呈する所定径の棒状物であっても同様に実施できるから、筆記具類Ｐにはこれらを含むものである。
【００１６】
ケース体２は、図１に示すように、矩形平面状の前面部下側に、手品使用時に、筆記具類Ｐを突き刺すものとして用意される。ドーナツ状の既製ＣＤ６の外径に対応した円形状の窓部７を有し、左右両側には保持部材３を挿入保持するための略Ｌ字枠状のスライド挿入部２Ａを備えることで背面側略全面が開放された状態となっている。この窓部７は、透明な例えば合成樹脂部材によって例えば嵌め込み状に固定することで閉塞形成されており、切欠ダミーＣＤ板５の中央孔５Ａ側を観客に見せるための円形透明部７Ａと、該円形透明部７Ａを中心にして周囲に形成され、切欠ダミーＣＤ板５の４分の３扇形部分を観客に見せるための３つに分断された左右側扇形透明部７Ｂおよび下側扇形透明部７Ｃと、扇形ダミーＣＤ板４である４分の１扇形部分を観客に見せるための上側扇形透明部７Ｄとに区画形成されている。そして、上側扇形透明部７Ｄの中心には、筆記具類Ｐを差し込める程度の開口径を有する円形の差込孔８が形成されており、該差込孔８は、中央に放射状の複数の切込みを入れることで筆記具類Ｐの差し込みにより撓曲可能な三角形状の複数のヒダ部が形成されて成る可撓性の閉塞部材９によって閉塞されている。
【００１７】
そして、上側扇形透明部７Ｄには、当該扇形透明部７Ｄの上縁中央に取り付けられたヒンジ１０Ａを介して揺動可能とした蓋体１０を備え、該蓋体１０によって上側扇形透明部７Ｄが隠蔽閉塞されるようにしてある。また、ケース体２の前面部裏側には、扇形ダミーＣＤ板４用の収容部１１が、上側扇形透明部７Ｄからケース体２上側にかけて覆われ且つ上側が開放された袋状となるようにして付設されており、扇形ダミーＣＤ板４をケース体２上側から収容部１１内に挿入して上側扇形透明部７Ｄの位置にこの扇形ダミーＣＤ板４が臨ませられ且つ当該扇形ダミーＣＤ板４の挿通孔４Ａと上側扇形透明部７Ｄの差込孔８とが互いに合致するようにしてある。この収容部１１の面内には、上側扇形透明部７Ｄの差込孔８、扇形ダミーＣＤ板４の挿通孔４Ａそれぞれに対応して円形の挿通孔１１Ａが形成されている。
【００１８】
こうして扇形ダミーＣＤ板４が収容部１１内上側に位置するときには、ケース体２の上側扇形透明部７Ｄから扇形ダミーＣＤ板４が見えず、扇形ダミーＣＤ板４が収容部１１内下側に位置するときには、ケース体２の上側扇形透明部７Ｄから扇形ダミーＣＤ板４が見えるようにしてある。このとき、上側扇形透明部７Ｄから扇形ダミーＣＤ板４が見える状態では、当該扇形ダミーＣＤ板４に形成されている挿通孔４Ａは、ケース体２の上側扇形透明部７Ｄに形成されている差込孔８の閉塞部材９によって隠蔽されて外観上では解らない状態となるようにしてある。
【００１９】
保持部材３は、略中央のコ字形状の折り込み部分３Ｃを介して前面部３Ａと後面部３Ｂとが対向するように三つ折り可能にした若干可撓性を有する例えば合成樹脂製の帯板部材によって形成されている。そして、前面部３Ａの端側は外向きにコ字状に折り込まれて扇形ダミーＣＤ板４を挿入させるための内側フラップ部１２を形成し、後面部３Ｂの端側は、内側蓋体１０を上側から覆うように閉蓋するためのコ字状に折り込まれた外側フラップ部１３を形成してある。また、後面部３Ｂの左右両側には、ケース体２両側のスライド挿入部２Ａそれぞれの内側に突設した係合凸部１４に係合させるための矩形切込み状の係合凹部１５が形成されている。尚、この保持部材３の前面部３Ａと収容部１１の前面部分とは同素材、同色に形成してあり、外観では識別が困難となるように配慮しておく。
【００２０】
図３に示すように、保持部材３の前面部３Ａ中央には上端から、ケース体２における上側扇形透明部７Ｄ背面の前記収容部１１によって隠される略中間位置までにわたり縦長矩形状のガイド用開口部１６が形成されており、切欠ダミーＣＤ板５の扇状切り欠き部分に取り付けられた帯板状のスライド操作片１７を当該ガイド用開口部１６に挿入した状態で当該切欠ダミーＣＤ板５が上下に移動できるようにしてある。このスライド操作片１７の一端側は、切欠ダミーＣＤ板５の扇状切り欠き部分が形成されている中央孔外周縁に固定され、また他端側は切欠ダミーＣＤ板５の外周縁に対応する位置から外向きＶ字・Ｕ字状に折り返されることで、前面部３Ａと後面部３Ｂとの間に挿入される既製ＣＤ６を係止させるための係止部１７Ａが形成されている。これによって既製ＣＤ６が前面部３Ａと後面部３Ｂとの間に挿入された際に、既製ＣＤ６の外周縁が係止部１７Ａに係止された状態で当該既製ＣＤ６を押し込むことによって、切欠ダミーＣＤ板５がガイド用開口部１６に沿って下方側へ押し込まれるようにしてある。尚、このスライド操作片１７は、必要があれば透明素材によって形成される。
【００２１】
また、折り込み部分３Ｃにより前面部３Ａに向けて対向配置される後面部３Ｂの面の略中央であって、前面部３Ａのガイド用開口部１６に合致される位置には、上側扇形透明部７Ｄの差込孔８、扇形ダミーＣＤ板４の挿通孔４Ａ、収容部１１の挿通孔１１Ａそれぞれに対応して筆記具類Ｐの先端部突出用の円形の突出孔１９が形成されている。該突出孔１９は、中央に放射状の複数の切込みを入れることで筆記具類Ｐの差し込みにより撓曲可能な三角形状の複数のヒダ部が形成されて成る例えばゴム円板製の可撓性の閉塞部材９によって閉塞されている。
【００２２】
さらに、後面部３Ｂにおけるこの突出孔１９位置よりも下側で左右対称位置には、三角状の突起１８を設け、当該後面部３Ｂの突出孔１９位置に既製ＣＤ６の中央孔６Ａが対向配置された状態で、突起１８によって当該既製ＣＤ６を係止保持させるようにしてある。この保持部材３は、図３に示すように、折り込み部分３Ｃを介して前面部３Ａと後面部３Ｂとに二つ折りにされてから、切欠ダミーＣＤ板５が係止するスライド操作片１７を前面部３Ａのガイド用開口部１６に挿入させた状態で当該切欠ダミーＣＤ板５がケース体２の窓部７側に対向するようにして当該ケース体２に挿入されるようにしてある。
【００２３】
こうして切欠ダミーＣＤ板５は、ケース体２内の保持部材３のガイド用開口部１６に沿って、上側扇形透明部７Ｄ位置と、左右側扇形透明部７Ｂ位置および下側扇形透明部７Ｃ位置の間を自由に移動できるようにしてある。すなわち、図７に示すように、切欠ダミーＣＤ板５がケース体２の上側に移動したときには、当該切欠ダミーＣＤ板５の下側円弧部分が上側扇形透明部７Ｄ位置に配置され、図８または図９に示すように、切欠ダミーＣＤ板５が既製ＣＤ６によって押し下げられてからさらにケース体２の下側まで移動したときには、当該切欠ダミーＣＤ板５の４分の３扇形部分がケース体２の左右側扇形透明部７Ｂおよび下側扇形透明部７Ｃそれぞれの位置に配置され、且つ切欠ダミーＣＤ板５の中央孔がケース体２の円形透明部７Ａ位置に配置される。と同時に既製ＣＤ６は後面部３Ｂの突起１８によって係止され、当該既製ＣＤ６の中央孔６Ａがケース体２の上側扇形透明部７Ｄの差込孔８と、保持部材３の後面部３Ｂの突出孔１９とに合致した状態となるようにしてある。
【００２４】
このとき、既製ＣＤ６は保持部材３の前面部３Ａによって隠蔽されていることからケース体２の窓部７を通して当該既製ＣＤ６が見えない状態となっており、このためケース体２内への既製ＣＤ６の挿入によって、当該既製ＣＤ６が大小の扇形状のダミーＣＤ板４，５にすり替えられて窓部７を通して見える状態となり、これによってケース体２内に既製ＣＤ６が実際に挿入されているかのような観を呈するようにしてある。
【００２５】
次に、以上のように構成された最良の形態について、手品として観客に披露するときの使用、動作の一例について説明すると、先ず、図３に示すように、保持部材３を折り込み部分３Ｃを介して前面部３Ａと後面部３Ｂとが対向するように二つ折りにしてから、切欠ダミーＣＤ板５をスライド操作片１７に係止して前面部３Ａのガイド用開口部１６に挿入してケース体２に入れる。一方、保持部材３の内側フラップ部１２を開けて収容部１１に扇形ダミーＣＤ板４を挿入してから内側フラップ部１２、外側フラップ部１３それぞれを閉蓋しておく。
【００２６】
図６に示すように、ケース体２を手で持ち、扇形ダミーＣＤ板４、切欠ダミーＣＤ板５それぞれをケース体２の上側に移動させた状態にしてから、両大小の扇形状のダミーＣＤ板４，５が下側に落ちてこないようにケース体２の裏側を親指で軽く押えておく。そしてケース体２の窓部７側を観客に見せて蓋体１０を開ける。このとき、図１３に示すように、収容部１１内の扇形ダミーＣＤ板４は上側扇形透明部７Ｄ位置よりも上側に配置され、且つ保持部材３の前面部３Ａにおける切欠ダミーＣＤ板５は左右側扇形透明部７Ｂ位置および下側扇形透明部７Ｃ位置よりも上側に配置されて収容部１１背面側に隠れているため、外側からはケース体２内が空の状態となって見える。
【００２７】
そして、例えば口上として「既製ＣＤ６には信号孔と呼ばれる目に見えない小さな孔が開いています。今からこの手品具本体１を使ってその孔をお見せします。」と言って、図８、図９に示すように、蓋体１０を閉め且つ外側フラップ部１３を開けて既製ＣＤ６をケース体２内の保持部材３の前面部３Ａと後面部３Ｂとの間に挿入し、当該既製ＣＤ６によって切欠ダミーＣＤ板５がスライド操作片１７を介して押し下げる。このとき、図１４に示すように、既製ＣＤ６は保持部材３の前面部３Ａによって隠れているため、ケース体２の窓部７からは既製ＣＤ６が入るところが見えない状態となり、当該既製ＣＤ６が大小の扇形状のダミーＣＤ板４，５にすり替えられている気配は感じられない。
【００２８】
図１０（ａ）に示すように、ケース体２を斜め下に傾けて振りながら収容部１１内の扇形ダミーＣＤ板４を上側扇形透明部７Ｄ位置に落とし、且つ切欠ダミーＣＤ板５を完全にケース体２下方側に落とす。そして、図１０（ｂ）に示すように、ケース体２を持っている手の人差し指で当該ケース体２の裏側の下部を押えて両大小の扇形状のダミーＣＤ板４，５の段差を無くして不自然さを隠す。
【００２９】
図１１、図１５に示すように、切欠ダミーＣＤ板５がケース体２の下側まで移動したときには、当該切欠ダミーＣＤ板５の４分の３扇形部分がケース体２の左右側扇形透明部７Ｂおよび下側扇形透明部７Ｃそれぞれの位置に配置され、且つ切欠ダミーＣＤ板５の中央孔５Ａがケース体２の円形透明部７Ａ位置に配置される。と同時に既製ＣＤ６は後面部３Ｂの突起１８によって係止され、当該既製ＣＤ６の中央孔６Ａがケース体２の上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに合致した状態となる。
【００３０】
そして、図１６に示すように、蓋体１０を開けてからケース体２の上側扇形透明部７Ｄにおける差込孔８から鉛筆等の筆記具類Ｐを突き刺す。このとき筆記具類Ｐの先端はケース体２の上側扇形透明部７Ｄの差込孔８、扇形ダミーＣＤ板４の挿通孔４Ａ、収容部１１の挿通孔１１Ａ、既製ＣＤ６の中央孔６Ａ、保持部材３の後面部３Ｂの突出孔１９それぞれを通ってケース体２の反対側に突き出される。このとき、観客は既製ＣＤ６に筆記具類Ｐが突き刺さり、反対側に抜け出したように見え、あたかも口上通りにＣＤの信号孔に大径な筆記具類Ｐが突き通ったような印象を受ける。
【００３１】
この後、上側扇形透明部７Ｄの差込孔８から筆記具類Ｐを引き抜き、蓋体１０を閉めてから、外側フラップ部１３を開けて、ケース体２を斜め下に傾けて振りながら既製ＣＤ６を取り出す。このとき、切欠ダミーＣＤ板５は既製ＣＤ６と同時にケース体２上側に移動させられるため、切欠ダミーＣＤ板５が既製ＣＤ６にすり替えられている気配は感じられない。こうしてケース体２内から既製ＣＤ６が無傷の状態で取り出されるのである。こうすることで、観客は、無傷な状態で取り出される既製ＣＤ６を見て不思議な思いを抱くことになる。
【図面の簡単な説明】
【００３２】
【図１】本考案を実施するための最良の形態における手品具本体を示すもので、（ａ）は正面図、（ｂ）は背面図である。
【図２】同じくケース体と該ケース体に挿入される切欠ダミーＣＤ板用の保持部材との分解正面図である。
【図３】同じく保持部材に切欠ダミーＣＤ板を取り付ける状態を示す分解斜視図である。
【図４】同じくケース体に扇形ダミーＣＤ板を取り付ける状態を示す分解斜視図である。
【図５】同じく手品具本体の使用状態を説明する正面図である。
【図６】同じく手品具本体の使用状態を説明するもので、既製ＣＤをケース体内に挿入する前の状態を示す背面図である。
【図７】同じく手品具本体の使用状態を説明するもので、既製ＣＤをケース体内に挿入する前の状態を示す正面図である。
【図８】同じく手品具本体の使用状態を説明するもので、既製ＣＤをケース体内に挿入する状態を示す正面図である。
【図９】同じく手品具本体の使用状態を説明するもので、既製ＣＤをケース体内に挿入する状態を示す斜視図である。
【図１０】同じく手品具本体の使用状態を説明するもので、（ａ）は既製ＣＤをケース体内に挿入した後にケース体を斜め下に傾けて振りながら両ダミーＣＤを完全にケース体下方側に落とす状態の斜視図、（ｂ）はケース体を持っている手の人差し指で当該ケース体の裏側の下部を押えて両ダミーＣＤの段差を無くす状態を示す斜視図である。
【図１１】同じく手品具本体の使用状態を説明するもので、両ダミーＣＤを完全にケース体下方側に落とした状態の正面図である。
【図１２】同じく手品具本体の使用状態を説明するもので、差込孔に筆記具類を差し込んだ状態の斜視図である。
【図１３】同じく手品具本体の使用状態を説明するもので、既製ＣＤをケース体内に挿入する前において窓枠の蓋体を開放した状態を示す縦断面図である。
【図１４】同じく手品具本体の使用状態を説明するもので、窓枠の蓋体を閉蓋して既製ＣＤをケース体内に挿入する状態を示す縦断面図である。
【図１５】同じく手品具本体の使用状態を説明するもので、既製ＣＤをケース体内に挿入した後に両ダミーＣＤを完全にケース体下方側に落とした状態の縦断面図である。
【図１６】同じく手品具本体の使用状態を説明するもので、窓枠の蓋体を開放して差込孔に筆記具類を差し込む状態の縦断面図である。
【符号の説明】
【００３３】
Ｐ…筆記具類
１…手品具本体                          ２…ケース体
２Ａ…スライド挿入部                    ３…保持部材
３Ａ…前面部                            ３Ｂ…後面部
３Ｃ…折り込み部分                      ４…扇形ダミーＣＤ板
４Ａ…挿通孔                            ５…切欠ダミーＣＤ板
５Ａ…中央孔                            ６…既製ＣＤ
６Ａ…中央孔                            ７…窓部
７Ａ…円形透明部                        ７Ｂ…左右側扇形透明部
７Ｃ…下側扇形透明部                    ７Ｄ…上側扇形透明部
８…差込孔                              ９…閉塞部材
１０…蓋体                              １０Ａ…ヒンジ
１１…収容部                            １１Ａ…挿通孔
１２…内側フラップ部                    １３…外側フラップ部
１４…係合凸部                          １５…係合凹部
１６…ガイド用開口部                    １７…スライド操作片
１７Ａ…係止部                          １８…突起
１９…突出孔
【図１】
0003117877.tif 000003
【図２】
0003117877.tif 000004
【図３】
0003117877.tif 000005
【図４】
0003117877.tif 000006
【図５】
0003117877.tif 000007
【図６】
0003117877.tif 000008
【図７】
0003117877.tif 000009
【図８】
0003117877.tif 000010
【図９】
0003117877.tif 000011
【図１０】
0003117877.tif 000012
【図１１】
0003117877.tif 000013
【図１２】
0003117877.tif 000014
【図１３】
0003117877.tif 000015
【図１４】
0003117877.tif 000016
【図１５】
0003117877.tif 000017
【図１６】
0003117877.tif 000018
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
ＣＤの４分の１扇形状を呈し、且つ扇形中央に筆記具類を挿通させる挿通孔を形成した扇形ダミーＣＤ板を上下移動可能に内装する収容部を備えたケース体と、ＣＤの４分の１扇形部分を切り除いた残りの４分の３の扇形状を呈する切欠ダミーＣＤ板を上下移動可能に取り付けた状態でケース体に挿入する保持部材とを備え、ケース体内へのＣＤの隠蔽させながらの挿入に伴って、扇形ダミーＣＤ板、切欠ダミーＣＤ板それぞれをケース体に設けた窓部側に移動可能とし、且つＣＤの中央孔、扇形ダミーＣＤ板の挿通孔それぞれを合致対向させて窓部から両孔に筆記具類を挿通可能としたことを特徴とする手品具。
【請求項２】
窓部は、切欠ダミーＣＤ板の中央孔側を観客に見せる円形透明部と、該円形透明部を中心にして周囲に形成され、切欠ダミーＣＤ板の４分の３扇形部分を観客に見せるよう３つに分断された左右側扇形透明部および下側扇形透明部と、扇形ダミーＣＤ板である４分の１扇形部分を観客に見せる上側扇形透明部とに区画形成され、上側扇形透明部の中心には、筆記具類を差し込める程度の開口径を有し、複数のヒダ部によって形成された可撓性の閉塞部材によって閉塞した円形の差込孔を設けてある請求項１記載の手品具。
【請求項３】
保持部材は、折り込み部分を介して前面部と後面部とが対向するように二つ折り可能にし、前面部中央の上端から、ケース体における上側扇形透明部背面の前記収容部によって隠される略中間位置までにわたって形成されたガイド用開口部と、切欠ダミーＣＤ板に取り付けられたスライド操作片とを備え、該スライド操作片をガイド用開口部に挿入した状態で切欠ダミーＣＤ板を上下移動可能とし、スライド操作片の一端側に形成した係止部により、前面部と後面部との間に挿入されるＣＤを係架させて切欠ダミーＣＤ板を押し込み操作するものとした請求項２記載の手品具。
【請求項４】
保持部材の前面部におけるガイド用開口部に合致される後面部の中央位置には、上側扇形透明部の差込孔、扇形ダミーＣＤ板の挿通孔、収容部の挿通孔それぞれに対応して、複数のヒダ部によって形成された閉塞部材によって閉塞した筆記具類先端部突出用の突出孔と、該突出孔よりも下側に位置する左右対称箇所には、当該突出孔位置にＣＤの中央孔が対向配置されるよう係止保持させる左右一対の突起を備えた請求項３記載の手品具。
【手続補正２】
【補正対象書類名】明細書
【補正対象項目名】全文
【補正方法】変更
【補正の内容】
【考案の詳細な説明】
【技術分野】
【０００１】  本考案は、ＣＤ（ｃｏｍｐａｃｔ  ｄｉｓｃ）と突き刺し用の例えば鉛筆（ペンシル）、ボールペン等の筆記具類とを使った手品具に係り、ＣＤの盤面に対してその小さな信号孔に大径な筆記具類をあたかも突き通し状に貫通させるようにできる手品具に関するものである。
【背景技術】
【０００２】  従来、この種の手品具としては、例えば紙幣・硬貨やトランプ等の対象物を孔開きケース体に収容してからケース体の当該孔にナイフや棒等で突き刺し、これらの対象物にあたかも突き通したように見せ、しかも、該対象物が無傷のままでケース体から取り出されるようにした手品具がいくつか存在する。【特許文献１】特に無し
【考案の開示】
【考案が解決しようとする課題】
【０００３】  しかしながら、従来においては、対象物が例えば紙幣・硬貨やトランプ等であり、ＣＤを使った手品具は存在しなかった。【０００４】  そこで、本考案は叙上のような従来存した諸事情に鑑み案出されたもので、例えば観客から借りたＣＤをケース体に入れて外側から見える状態にしてからケース体に筆記具類等を差し込んで、あたかも当該ＣＤに孔が空いて損傷されたかのようにしても、当該ＣＤは無傷のままでケース体から取り出されるようにし、観客に意外性、興趣性等の印象を与えることができる手品具を提供することを目的とする。
【課題を解決するための手段】
【０００５】  上述した課題を解決するため、本考案にあっては、ＣＤ６の４分の１扇形状を呈し、且つ扇形中央に筆記具類Ｐを挿通させる挿通孔４Ａを形成した扇形ダミーＣＤ板４を上下移動可能に内装する収容部１１を備えたケース体２と、ＣＤ６の４分の１扇形部分を切り除いた残りの４分の３の扇形状を呈する切欠ダミーＣＤ板５を上下移動可能に取り付けた状態でケース体２に挿入する保持部材３とを備え、ケース体２内へのＣＤ６の隠蔽させながらの挿入に伴って、扇形ダミーＣＤ板４、切欠ダミーＣＤ板５それぞれをケース体２に設けた窓部７側に移動可能とし、且つＣＤ６の中央孔６Ａ、扇形ダミーＣＤ板４の挿通孔４Ａそれぞれを合致対向させて窓部７から両孔６Ａ，４Ａに筆記具類Ｐを挿通可能としたものである。  また、窓部７は、切欠ダミーＣＤ板５の中央孔５Ａ側を観客に見せる円形透明部７Ａと、該円形透明部７Ａを中心にして周囲に形成され、切欠ダミーＣＤ板５の４分の３扇形部分を観客に見せるよう３つに分断された左右側扇形透明部７Ｂおよび下側扇形透明部７Ｃと、扇形ダミーＣＤ板４である４分の１扇形部分を観客に見せる上側扇形透明部７Ｄとに区画形成され、上側扇形透明部７Ｄの中心には、筆記具類Ｐを差し込める程度の開口径を有し、複数のヒダ部によって形成された可撓性の閉塞部材９によって閉塞した円形の差込孔８を設けてあるものとできる。  保持部材３は、折り込み部分３Ｃを介して前面部３Ａと後面部３Ｂとが対向するように二つ折り可能にし、前面部３Ａ中央の上端から、ケース体２における上側扇形透明部７Ｄ背面の前記収容部１１によって隠される略中間位置までにわたって形成されたガイド用開口部１６と、切欠ダミーＣＤ板５に取り付けられたスライド操作片１７とを備え、該スライド操作片１７をガイド用開口部１６に挿入した状態で切欠ダミーＣＤ板５を上下移動可能とし、スライド操作片１７の一端側に形成した係止部１７Ａにより、前面部３Ａと後面部３Ｂとの間に挿入されるＣＤ６を係架させて切欠ダミーＣＤ板５を押し込み操作するものとできる。  保持部材３の前面部３Ａにおけるガイド用開口部１６に合致される後面部３Ｂの中央位置には、上側扇形透明部７Ｄの差込孔８、扇形ダミーＣＤ板４の挿通孔４Ａ、収容部１１の挿通孔１１Ａそれぞれに対応して、複数のヒダ部によって形成された閉塞部材９によって閉塞した筆記具類Ｐ先端部突出用の円形の突出孔１９と、該突出孔１９よりも下側に位置する左右対称箇所には、当該突出孔１９位置にＣＤ６の中央孔６Ａが対向配置されるよう係止保持させる左右一対の突起１８を備えたものとできる。【０００６】  以上のように構成された本考案に係る手品具にあって、保持部材３は、折り込み部分３Ｃを介して前面部３Ａと後面部３Ｂとが対向するように二つ折りにされ、切欠ダミーＣＤ板５のスライド操作片１７を前面部３Ａのガイド用開口部１６に挿入してケース体２に入れられる。  ケース体２内へのＣＤ６の挿入に際し、ＣＤ６を保持部材３の前面部３Ａによって隠蔽しながら挿入させる。このケース体２内へのＣＤ６の挿入に伴うスライド操作片１７のガイド用開口部１６に沿っての押し込みにより、切欠ダミーＣＤ板５をケース体２に設けた窓部７側に移動させる。そしてＣＤ６の中央孔６Ａは、扇形ダミーＣＤ板４の挿通孔４Ａに合致対向させられて両孔６Ａ，４Ａに例えば鉛筆、ボールペン等の筆記具類Ｐを挿通可能な状態にさせる。  このとき、収容部１１内の扇形ダミーＣＤ板４は、ケース体２を斜め下に傾けて振りながら上側扇形透明部７Ｄ位置に落下させる。  切欠ダミーＣＤ板５がケース体２の下側まで移動した際には、当該切欠ダミーＣＤ板５の４分の３扇形部分を、ケース体２の左右側扇形透明部７Ｂおよび下側扇形透明部７Ｃそれぞれの位置に配置させ、且つ切欠ダミーＣＤ板５の中央孔を、ケース体２の円形透明部７Ａ位置に配置させる。  また、後面部３Ｂの突起１８は、ＣＤ６を係止させ、当該ＣＤ６の中央孔６Ａをケース体２の上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに合致した状態にさせる。  蓋体１０を開けてからケース体２の上側扇形透明部７Ｄにおける差込孔８から筆記具類Ｐを突き刺した際には、筆記具類Ｐの先端を、ケース体２の上側扇形透明部７Ｄの差込孔８、扇形ダミーＣＤ板４の挿通孔４Ａ、収容部１１の挿通孔１１Ａ、ＣＤ６の中央孔６Ａ、保持部材３の後面部３Ｂの突出孔１９それぞれを通ってケース体２の反対側から突き出させる。
【考案の効果】
【０００７】  本考案によれば、例えば観客から借りたＣＤ６をケース体２に入れて外側から見える状態にした後、ケース体２に例えば鉛筆、ボールペン等の筆記具類Ｐ等を刺し込み、当該ＣＤ６の微細な信号孔に大径な筆記具類Ｐがあたかも挿通したように、あるいはあたかも孔が空いて損傷されたように観客に見せることができ、また、その後は、筆記具類Ｐを抜き出しても、ＣＤ６を無傷のままでケース体２から取り出すことができる。【０００８】  すなわちこれは本考案が、ケース体２内へのＣＤ６を隠蔽させながらの挿入に伴って、扇形ダミーＣＤ板４、切欠ダミーＣＤ板５それぞれをケース体２に設けた窓部７側に移動可能とし、且つＣＤ６の中央孔６Ａ、扇形ダミーＣＤ板４の挿通孔４Ａそれぞれを合致対向させて窓部７から両孔６Ａ，４Ａに筆記具類Ｐを挿通可能としたからであり、これにより、ＣＤ６を傷付けることなくケース体２に筆記具類Ｐを突き刺すことができ、ＣＤ面に記録形成されている小さな信号孔を筆記具類Ｐがあたかも通り抜けたような不思議感を観客に与えることができる。【０００９】  また、窓部７は、切欠ダミーＣＤ板５の中央孔５Ａ側を観客に見せる円形透明部７Ａと、該円形透明部７Ａを中心にして周囲に形成され、切欠ダミーＣＤ板５の４分の３扇形部分を観客に見せるよう３つに分断された左右側扇形透明部７Ｂおよび下側扇形透明部７Ｃと、扇形ダミーＣＤ板４である４分の１扇形部分を観客に見せる上側扇形透明部７Ｄとに区画形成され、上側扇形透明部７Ｄの中心には、筆記具類Ｐを差し込める程度の開口径を有し、複数のヒダ部によって形成された可撓性の閉塞部材９によって閉塞した円形の差込孔８を設けてあるので、ケース体２内へのＣＤ６の挿入によって、当該ＣＤ６が大小の扇形状のダミーＣＤ板４，５にすり替えられて窓部７を通して見える状態となり、これによってケース体２内にＣＤ６が実際に挿入されているかのような観を呈するものとすることができる。【００１０】  保持部材３は、折り込み部分３Ｃを介して前面部３Ａと後面部３Ｂとが対向するように二つ折り可能にし、前面部３Ａ中央の上端から、ケース体２における上側扇形透明部７Ｄ背面の前記収容部１１によって隠される略中間位置までにわたって形成されたガイド用開口部１６と、切欠ダミーＣＤ板５に取り付けられたスライド操作片１７とを備え、該スライド操作片１７をガイド用開口部１６に挿入した状態で切欠ダミーＣＤ板５を上下移動可能とし、スライド操作片１７の一端側に形成した係止部１７Ａにより、前面部３Ａと後面部３Ｂとの間に挿入されるＣＤ６を係架させて切欠ダミーＣＤ板５を押し込み操作するので、ＣＤ６と、大小の扇形状のダミーＣＤ板４，５とのすり替え動作が観客には解らないようにスムーズに行える。【００１１】  保持部材３の前面部３Ａにおけるガイド用開口部１６に合致される後面部３Ｂの中央位置には、上側扇形透明部７Ｄの差込孔８、扇形ダミーＣＤ板４の挿通孔４Ａ、収容部１１の挿通孔１１Ａそれぞれに対応して、複数のヒダ部によって形成された閉塞部材９によって閉塞した筆記具類Ｐ先端部突出用の円形の突出孔１９と、該突出孔１９よりも下側に位置する左右対称箇所には、当該突出孔１９位置にＣＤ６の中央孔６Ａが対向��置されるよう係止保持させる左右一対の突起１８を備えたので、ＣＤ６の中央孔６Ａを上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに確実に合致させることができ、ケース体２に差し込んだ筆記具類Ｐは、ＣＤ６の中央孔６Ａを通ることとなり、これによりＣＤ６を損傷させることなく、ケース体２から無傷の状態のままで取り出すことができる。【００１２】  尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１３】  以下図面を参照して本考案を実施するための最良の一形態を説明すると、図において示される符号１は、ＣＤ６を使った手品具本体であり、該手品具本体１は、ドーナツ状のＣＤ６における４分の１の扇形状で切断形成した４分の１扇形状を呈し、且つ扇形中央に例えば鉛筆、ボールペン等の筆記具類Ｐを挿通させるための円形状の挿通孔４Ａを形成して成る扇形ダミーＣＤ板４を内装したケース体２と、前記のドーナツ状のＣＤ６の４分の１扇形部分を切り除いた残りの４分の３扇形状を呈する切欠ダミーＣＤ板５を取り付けた状態でケース体２に挿入される保持部材３とから構成されている。【００１４】  すなわちダミーとして予じめケース体２内に挿入される扇形ダミーＣＤ板４と切欠ダミーＣＤ板５とは１枚の所定の例えば一般的に提供されている既製のＣＤを切断することで形成され、使用に際しては当該既製のＣＤと形状、デザイン等が同じものが後述するＣＤ６として使用される。【００１５】  尚、本実施の形態では、ＣＤ６を使用しているが、信号面に色が付いているものを除けば、ゲームソフト用のＣＤ、ＤＶＤ、ＣＤＷ、ＣＤＲＷ等でも良い。尚、本明細書において筆記具類Ｐとして鉛筆、ボールペン等として例示されるも、これらと同様な外形を呈する所定径の棒状物であっても同様に実施できるから、筆記具類Ｐにはこれらを含むものである。【００１６】  ケース体２は、図１に示すように、矩形平面状の前面部下側に、手品使用時に、筆記具類Ｐを突き刺すものとして用意される。ドーナツ状のＣＤ６の外径に対応した円形状の窓部７を有し、左右両側には保持部材３を挿入保持するための略Ｌ字枠状のスライド挿入部２Ａを備えることで背面側略全面が開放された状態となっている。この窓部７は、透明な例えば合成樹脂部材によって例えば嵌め込み状に固定することで閉塞形成されており、切欠ダミーＣＤ板５の中央孔５Ａ側を観客に見せるための円形透明部７Ａと、該円形透明部７Ａを中心にして周囲に形成され、切欠ダミーＣＤ板５の４分の３扇形部分を観客に見せるための３つに分断された左右側扇形透明部７Ｂおよび下側扇形透明部７Ｃと、扇形ダミーＣＤ板４である４分の１扇形部分を観客に見せるための上側扇形透明部７Ｄとに区画形成されている。そして、上側扇形透明部７Ｄの中心には、筆記具類Ｐを差し込める程度の開口径を有する円形の差込孔８が形成されており、該差込孔８は、中央に放射状の複数の切込みを入れることで筆記具類Ｐの差し込みにより撓曲可能な三角形状の複数のヒダ部が形成されて成る可撓性の閉塞部材９によって閉塞されている。【００１７】  そして、上側扇形透明部７Ｄには、当該扇形透明部７Ｄの上縁中央に取り付けられたヒンジ１０Ａを介して揺動可能とした蓋体１０を備え、該蓋体１０によって上側扇形透明部７Ｄが隠蔽閉塞されるようにしてある。また、ケース体２の前面部裏側には、扇形ダミーＣＤ板４用の収容部１１が、上側扇形透明部７Ｄからケース体２上側にかけて覆われ且つ上側が開放された袋状となるようにして付設されており、扇形ダミーＣＤ板４をケース体２上側から収容部１１内に挿入して上側扇形透明部７Ｄの位置にこの扇形ダミーＣＤ板４が臨ませられ且つ当該扇形ダミーＣＤ板４の挿通孔４Ａと��側扇形透明部７Ｄの差込孔８とが互いに合致するようにしてある。この収容部１１の面内には、上側扇形透明部７Ｄの差込孔８、扇形ダミーＣＤ板４の挿通孔４Ａそれぞれに対応して円形の挿通孔１１Ａが形成されている。【００１８】  こうして扇形ダミーＣＤ板４が収容部１１内上側に位置するときには、ケース体２の上側扇形透明部７Ｄから扇形ダミーＣＤ板４が見えず、扇形ダミーＣＤ板４が収容部１１内下側に位置するときには、ケース体２の上側扇形透明部７Ｄから扇形ダミーＣＤ板４が見えるようにしてある。このとき、上側扇形透明部７Ｄから扇形ダミーＣＤ板４が見える状態では、当該扇形ダミーＣＤ板４に形成されている挿通孔４Ａは、ケース体２の上側扇形透明部７Ｄに形成されている差込孔８の閉塞部材９によって隠蔽されて外観上では解らない状態となるようにしてある。【００１９】  保持部材３は、略中央のコ字形状の折り込み部分３Ｃを介して前面部３Ａと後面部３Ｂとが対向するように三つ折り可能にした若干可撓性を有する例えば合成樹脂製の帯板部材によって形成されている。そして、前面部３Ａの端側は外向きにコ字状に折り込まれて扇形ダミーＣＤ板４を挿入させるための内側フラップ部１２を形成し、後面部３Ｂの端側は、内側蓋体１０を上側から覆うように閉蓋するためのコ字状に折り込まれた外側フラップ部１３を形成してある。また、後面部３Ｂの左右両側には、ケース体２両側のスライド挿入部２Ａそれぞれの内側に突設した係合凸部１４に係合させるための矩形切込み状の係合凹部１５が形成されている。尚、この保持部材３の前面部３Ａと収容部１１の前面部分とは同素材、同色に形成してあり、外観では識別が困難となるように配慮しておく。【００２０】  図３に示すように、保持部材３の前面部３Ａ中央には上端から、ケース体２における上側扇形透明部７Ｄ背面の前記収容部１１によって隠される略中間位置までにわたり縦長矩形状のガイド用開口部１６が形成されており、切欠ダミーＣＤ板５の扇状切り欠き部分に取り付けられた帯板状のスライド操作片１７を当該ガイド用開口部１６に挿入した状態で当該切欠ダミーＣＤ板５が上下に移動できるようにしてある。このスライド操作片１７の一端側は、切欠ダミーＣＤ板５の扇状切り欠き部分が形成されている中央孔外周縁に固定され、また他端側は切欠ダミーＣＤ板５の外周縁に対応する位置から外向きＶ字・Ｕ字状に折り返されることで、前面部３Ａと後面部３Ｂとの間に挿入されるＣＤ６を係止させるための係止部１７Ａが形成されている。これによってＣＤ６が前面部３Ａと後面部３Ｂとの間に挿入された際に、ＣＤ６の外周縁が係止部１７Ａに係止された状態で当該ＣＤ６を押し込むことによって、切欠ダミーＣＤ板５がガイド用開口部１６に沿って下方側へ押し込まれるようにしてある。尚、このスライド操作片１７は、必要があれば透明素材によって形成される。【００２１】  また、折り込み部分３Ｃにより前面部３Ａに向けて対向配置される後面部３Ｂの面の略中央であって、前面部３Ａのガイド用開口部１６に合致される位置には、上側扇形透明部７Ｄの差込孔８、扇形ダミーＣＤ板４の挿通孔４Ａ、収容部１１の挿通孔１１Ａそれぞれに対応して筆記具類Ｐの先端部突出用の円形の突出孔１９が形成されている。該突出孔１９は、中央に放射状の複数の切込みを入れることで筆記具類Ｐの差し込みにより撓曲可能な三角形状の複数のヒダ部が形成されて成る例えばゴム円板製の可撓性の閉塞部材９によって閉塞されている。【００２２】  さらに、後面部３Ｂにおけるこの突出孔１９位置よりも下側で左右対称位置には、三角状の突起１８を設け、当該後面部３Ｂの突出孔１９位置にＣＤ６の中央孔６Ａが対向配置された状態で、突起１８によって当該ＣＤ６を係止保持させるようにしてある。この保持部材３は、図３に示すように、折り込み部分３Ｃを介して前面部３Ａと後面部３Ｂとに二つ折りにされてから、切欠ダミーＣＤ板５が係止するスライド操作片１７を前面部３Ａのガイド用開口部１６に挿入させた状態で当該切欠ダミーＣＤ板５がケース体２の窓部７側に対向するようにして当該ケース体２に挿入されるようにしてある。【００２３】  こうして切欠ダミーＣＤ板５は、ケース体２内の保持部材３のガイド用開口部１６に沿って、上側扇形透明部７Ｄ位置と、左右側扇形透明部７Ｂ位置および下側扇形透明部７Ｃ位置の間を自由に移動できるようにしてある。すなわち、図７に示すように、切欠ダミーＣＤ板５がケース体２の上側に移動したときには、当該切欠ダミーＣＤ板５の下側円弧部分が上側扇形透明部７Ｄ位置に配置され、図８または図９に示すように、切欠ダミーＣＤ板５がＣＤ６によって押し下げられてからさらにケース体２の下側まで移動したときには、当該切欠ダミーＣＤ板５の４分の３扇形部分がケース体２の左右側扇形透明部７Ｂおよび下側扇形透明部７Ｃそれぞれの位置に配置され、且つ切欠ダミーＣＤ板５の中央孔がケース体２の円形透明部７Ａ位置に配置される。と同時にＣＤ６は後面部３Ｂの突起１８によって係止され、当該ＣＤ６の中央孔６Ａがケース体２の上側扇形透明部７Ｄの差込孔８と、保持部材３の後面部３Ｂの突出孔１９とに合致した状態となるようにしてある。【００２４】  このとき、ＣＤ６は保持部材３の前面部３Ａによって隠蔽されていることからケース体２の窓部７を通して当該ＣＤ６が見えない状態となっており、このためケース体２内へのＣＤ６の挿入によって、当該ＣＤ６が大小の扇形状のダミーＣＤ板４，５にすり替えられて窓部７を通して見える状態となり、これによってケース体２内にＣＤ６が実際に挿入されているかのような観を呈するようにしてある。【００２５】  次に、以上のように構成された最良の形態について、手品として観客に披露するときの使用、動作の一例について説明すると、先ず、図３に示すように、保持部材３を折り込み部分３Ｃを介して前面部３Ａと後面部３Ｂとが対向するように二つ折りにしてから、切欠ダミーＣＤ板５をスライド操作片１７に係止して前面部３Ａのガイド用開口部１６に挿入してケース体２に入れる。一方、保持部材３の内側フラップ部１２を開けて収容部１１に扇形ダミーＣＤ板４を挿入してから内側フラップ部１２、外側フラップ部１３それぞれを閉蓋しておく。【００２６】  図６に示すように、ケース体２を手で持ち、扇形ダミーＣＤ板４、切欠ダミーＣＤ板５それぞれをケース体２の上側に移動させた状態にしてから、両大小の扇形状のダミーＣＤ板４，５が下側に落ちてこ��いようにケース体２の裏側を親指で軽く押えておく。そしてケース体２の窓部７側を観客に見せて蓋体１０を開ける。このとき、図１３に示すように、収容部１１内の扇形ダミーＣＤ板４は上側扇形透明部７Ｄ位置よりも上側に配置され、且つ保持部材３の前面部３Ａにおける切欠ダミーＣＤ板５は左右側扇形透明部７Ｂ位置および下側扇形透明部７Ｃ位置よりも上側に配置されて収容部１１背面側に隠れているため、外側からはケース体２内が空の状態となって見える。【００２７】  そして、例えば口上として「ＣＤ６には信号孔と呼ばれる目に見えない小さな孔が開いています。今からこの手品具本体１を使ってその孔をお見せします。」と言って、図８、図９に示すように、蓋体１０を閉め且つ外側フラップ部１３を開けてＣＤ６をケース体２内の保持部材３の前面部３Ａと後面部３Ｂとの間に挿入し、当該ＣＤ６によって切欠ダミーＣＤ板５がスライド操作片１７を介して押し下げる。このとき、図１４に示すように、ＣＤ６は保持部材３の前面部３Ａによって隠れているため、ケース体２の窓部７からはＣＤ６が入るところが見えない状態となり、当該ＣＤ６が大小の扇形状のダミーＣＤ板４，５にすり替えられている気配は感じられない。【００２８】  図１０（ａ）に示すように、ケース体２を斜め下に傾けて振りながら収容部１１内の扇形ダミーＣＤ板４を上側扇形透明部７Ｄ位置に落とし、且つ切欠ダミーＣＤ板５を完全にケース体２下方側に落とす。そして、図１０（ｂ）に示すように、ケース体２を持っている手の人差し指で当該ケース体２の裏側の下部を押えて両大小の扇形状のダミーＣＤ板４，５の段差を無くして不自然さを隠す。【００２９】  図１１、図１５に示すように、切欠ダミーＣＤ板５がケース体２の下側まで移動したときには、当該切欠ダミーＣＤ板５の４分の３扇形部分がケース体２の左右側扇形透明部７Ｂおよび下側扇形透明部７Ｃそれぞれの位置に配置され、且つ切欠ダミーＣＤ板５の中央孔５Ａがケース体２の円形透明部７Ａ位置に配置される。と同時にＣＤ６は後面部３Ｂの突起１８によって係止され、当該ＣＤ６の中央孔６Ａがケース体２の上側扇形透明部７Ｄの差込孔８、扇形ダミーＣＤ板４の挿通孔４Ａ、収容部１１の挿通孔１１Ａ、保持部材３の後面部３Ｂの突出孔１９それぞれに合致した状態となる。【００３０】  そして、図１６に示すように、蓋体１０を開けてからケース体２の上側扇形透明部７Ｄにおける差込孔８から鉛筆等の筆記具類Ｐを突き刺す。このとき筆記具類Ｐの先端はケース体２の上側扇形透明部７Ｄの差込孔８、扇形ダミーＣＤ板４の挿通孔４Ａ、収容部１１の挿通孔１１Ａ、ＣＤ６の中央孔６Ａ、保持部材３の後面部３Ｂの突出孔１９それぞれを通ってケース体２の反対側に突き出される。このとき、観客はＣＤ６に筆記具類Ｐが突き刺さり、反対側に抜け出したように見え、あたかも口上通りにＣＤの信号孔に大径な筆記具類Ｐが突き通ったような印象を受ける。【００３１】  この後、上側扇形透明部７Ｄの差込孔８から筆記具類Ｐを引き抜き、蓋体１０を閉めてから、外側フラップ部１３を開けて、ケース体２を斜め下に傾けて振りながらＣＤ６を取り出す。このとき、切欠ダミーＣＤ板５はＣＤ６と同時にケース体２上側に移動させら���るため、切欠ダミーＣＤ板５がＣＤ６にすり替えられている気配は感じられない。こうしてケース体２内からＣＤ６が無傷の状態で取り出されるのである。こうすることで、観客は、無傷な状態で取り出されるＣＤ６を見て不思議な思いを抱くことになる。
【図面の簡単な説明】
【００３２】
【図１】本考案を実施するための最良の形態における手品具本体を示すもので、（ａ）は正面図、（ｂ）は背面図である。
【図２】同じくケース体と該ケース体に挿入される切欠ダミーＣＤ板用の保持部材との分解正面図である。
【図３】同じく保持部材に切欠ダミーＣＤ板を取り付ける状態を示す分解斜視図である。
【図４】同じくケース体に扇形ダミーＣＤ板を取り付ける状態を示す分解斜視図である。
【図５】同じく手品具本体の使用状態を説明する正面図である。
【図６】同じく手品具本体の使用状態を説明するもので、ＣＤをケース体内に挿入する前の状態を示す背面図である。
【図７】同じく手品具本体の使用状態を説明するもので、ＣＤをケース体内に挿入する前の状態を示す正面図である。
【図８】同じく手品具本体の使用状態を説明するもので、ＣＤをケース体内に挿入する状態を示す正面図である。
【図９】同じく手品具本体の使用状態を説明するもので、ＣＤをケース体内に挿入する状態を示す斜視図である。
【図１０】同じく手品具本体の使用状態を説明するもので、（ａ）はＣＤをケース体内に挿入した後にケース体を斜め下に傾けて振りながら両ダミーＣＤを完全にケース体下方側に落とす状態の斜視図、（ｂ）はケース体を持っている手の人差し指で当該ケース体の裏側の下部を押えて両ダミーＣＤの段差を無くす状態を示す斜視図である。
【図１１】同じく手品具本体の使用状態を説明するもので、両ダミーＣＤを完全にケース体下方側に落とした状態の正面図である。
【図１２】同じく手品具本体の使用状態を説明するもので、差込孔に筆記具類を差し込んだ状態の斜視図である。
【図１３】同じく手品具本体の使用状態を説明するもので、ＣＤをケース体内に挿入する前において窓枠の蓋体を開放した状態を示す縦断面図である。
【図１４】同じく手品具本体の使用状態を説明するもので、窓枠の蓋体を閉蓋してＣＤをケース体内に挿入する状態を示す縦断面図である。
【図１５】同じく手品具本体の使用状態を説明するもので、ＣＤをケース体内に挿入した後に両ダミーＣＤを完全にケース体下方側に落とした状態の縦断面図である。
【図１６】同じく手品具本体の使用状態を説明するもので、窓枠の蓋体を開放して差込孔に筆記具類を差し込む状態の縦断面図である。
【符号の説明】
【００３３】Ｐ…筆記具類１…手品具本体                          ２…ケース体２Ａ…スライド挿入部                    ３…保持部材３Ａ…前面部                            ３Ｂ…後面部３Ｃ…折り込み部分                      ４…扇形ダミーＣＤ板４Ａ…挿通孔                            ５…切欠ダミーＣＤ板５Ａ…中央孔                            ６…ＣＤ６Ａ…中央孔                            ７…窓部７Ａ…円形透明部                        ７Ｂ…左右側扇形透明部７Ｃ…下側扇形透明部                    ７Ｄ…上側扇形透明部８…差込孔                              ９…閉塞部材１０…蓋体                              １０Ａ…ヒンジ１１…収容部                            １１Ａ…挿通孔１２…内側フラップ部                    １３…外側フラップ部１４…係合凸部                          １５…係合凹部１６…ガイド用開口部                    １７…スライド操作片１７Ａ…係止部                          １８…突起１９…突出孔